(57)【特許請求の範囲】
【請求項１】
エレクトロニックモジュール（１０ａ；１０ｂ；１０ｃ）であって、少なくとも１つのエレクトロニックユニット（１２ａ；１２ｂ；１２ｃ）と、少なくとも１つのコンタクト形成ユニット（１４ａ；１４ｂ；１４ｃ）と、少なくとも１つのカバーユニット（２４ａ；２４ｂ；２４ｃ）とを有しており、前記コンタクト形成ユニット（１４ａ；１４ｂ；１４ｃ）が少なくとも１つの接点エレメント（１６ａ−１６ｃ，１８ａ−１８ｃ，２０ａ−２０ｃ）を有していて、前記接点エレメントが、電気エネルギ源（２２ａ）とのコンタクト形成のために、かつ／または電子データを伝送するために設けられており、前記エレクトロニックユニット（１２ａ；１２ｂ；１２ｃ）が、少なくとも１つの前記カバーユニット（２４ａ；２４ｂ；２４ｃ）と分離不能に結合されている形式のものにおいて、
少なくとも１つの前記コンタクト形成ユニット（１４ａ；１４ｂ；１４ｃ）が、前記カバーユニット（２４ａ；２４ｂ；２４ｃ）を機械的に固定するために設けられた少なくとも１つの固定エレメント（２６ａ；２６ｂ；２６ｃ）を有しており、少なくとも１つの前記接点エレメント（１６ａ―１６ｃ，１８ａ−１８ｃ，２０ａ−２０ｃ）が少なくとも部分的に少なくとも１つの前記固定エレメント（２６ａ；２６ｂ；２６ｃ）に配置されており、
少なくとも１つの前記接点エレメント（１６ｂ，１８ｂ，２０ｂ）が、前記電気エネルギ源および／または別のエレクトロニックユニット（２８ｂ）と半径方向でコンタクト形成するために設けられていることを特徴とする、エレクトロニックモジュール（１０ａ；１０ｂ；１０ｃ）。
【請求項２】
少なくとも１つの前記接点エレメント（１６ａ，１８ａ，２０ａ）が、前記電気エネルギ源および／または別のエレクトロニックユニット（２８ａ）と軸方向でコンタクト形成するために設けられていることを特徴とする、請求項１記載のエレクトロニックモジュール（１０ａ；１０ｂ；１０ｃ）。
【請求項３】
少なくとも１つの拡張ユニット（３０ａ）が設けられていて、該拡張ユニット（３０ａ）が、少なくとも１つの前記エレクトロニックユニット（１２ａ）と連結可能に構成されていて、かつ少なくとも１つの前記エレクトロニックユニット（１２ａ）の機能拡張のために設けられていることを特徴とする、請求項１または２記載のエレクトロニックモジュール（１０ａ；１０ｂ；１０ｃ）。
【請求項４】
少なくとも１つの前記拡張ユニット（３０ａ）が少なくとも１つの底部エレメント（３２ａ）を有しており、該底部エレメント（３２ａ）が収容スペース（３４ａ）を少なくとも閉鎖するために設けられていて、前記収容スペース（３４ａ）内に少なくとも１つの前記エレクトロニックユニット（１２ａ）が配置されていることを特徴とする、請求項３記載のエレクトロニックモジュール（１０ａ；１０ｂ；１０ｃ）。
【請求項５】
少なくとも１つの前記拡張ユニット（３０ａ）が、無線式のデータ伝送のために設けられた少なくとも１つの通信ユニット（３８ａ）を有していることを特徴とする、請求項３または４記載のエレクトロニックモジュール（１０ａ；１０ｂ；１０ｃ）。
【請求項６】
少なくとも１つの前記コンタクト形成ユニット（１４ｃ）が少なくとも１つの差し込み接続エレメント（４０ｃ）を有していて、該差し込み接続エレメント（４０ｃ）に少なくとも１つの前記接点エレメント（１６ｃ，１８ｃ，２０ｃ）が配置されていることを特徴とする、請求項１から５までのいずれか１項記載のエレクトロニックモジュール（１０ａ；１０ｂ；１０ｃ）。
【請求項７】
少なくとも１つの前記接点エレメント（１６ａ，１８ａ，２０ａ）が少なくとも部分的に、少なくとも１つの前記カバーユニット（２４ａ）のカバー壁（４２ａ）内に配置されていることを特徴とする、請求項１から６までのいずれか１項記載のエレクトロニックモジュール（１０ａ；１０ｂ；１０ｃ）。
【請求項８】
少なくとも１つの前記固定エレメント（２６ａ；２６ｂ）がバヨネット式ロックを形成することを特徴とする、請求項１から７までのいずれか１項記載のエレクトロニックモジュール（１０ａ；１０ｂ；１０ｃ）。
【請求項９】
手持ち式工作機械のための、請求項１から８までのいずれか１項記載のエレクトロニックモジュール（１０ａ；１０ｂ；１０ｃ）。
【請求項１０】
工具（３６ａ；３６ｂ；３６ｃ）であって、請求項１から８までのいずれか１項記載のエレクトロニックモジュール（１０ａ；１０ｂ；１０ｃ）を有する工具（３６ａ；３６ｂ；３６ｃ）。
【請求項１１】
手持ち式工作機械である、請求項１０記載の工具（３６ａ；３６ｂ；３６ｃ）。
【発明の詳細な説明】
【技術分野】
【０００１】
特に手持ち式工作機械のためのエレクトロニックモジュールであって、少なくとも１つのエレクトロニックユニットと、少なくとも１つのコンタクト形成ユニットと、少なくとも１つのカバーユニットとを有しており、前記コンタクト形成ユニットが少なくとも１つの接点エレメントを有していて、この接点エレメントが、電気エネルギ源とのコンタクト形成のために、かつ／または電子データを伝送するために設けられており、この場合、エレクトロニックユニットが、少なくとも１つのカバーユニットと分離不能に結合されている形式のものは、既に提案されている。
【発明の概要】
【０００２】
本発明は、特に手持ち式工作機械のためのエレクトロニックモジュールであって、少なくとも１つのエレクトロニックユニットと、少なくとも１つのコンタクト形成ユニットと、少なくとも１つのカバーユニットとを有しており、前記コンタクト形成ユニットが少なくとも１つの接点エレメントを有していて、この接点エレメントが、電気エネルギ源とのコンタクト形成のために、かつ／または電子データを伝送するために設けられており、この場合、エレクトロニックユニットが、少なくとも１つのカバーユニットと分離不能に結合されている形式のものから出発する。
【０００３】
少なくとも１つのコンタクト形成ユニットが、カバーユニットを特に工具に機械的に固定するために設けられた少なくとも１つの固定エレメントを有しており、この場合、少なくとも１つの接点エレメントが少なくとも部分的に少なくとも１つの固定エレメントに配置されているように、提案される。これによって、エレクトロニックモジュールは、特にコンパクトにかつ頑丈に構成され得る。
【０００４】
好適な形式で、エレクトロニックモジュール、特にエレクトロニックユニットは、少なくとも１つのトランジスタ、特に好適には少なくとも１つのマイクロプロセッサを有している。特に好適には、エレクトロニックモジュール、特にエレクトロニックユニットは、少なくとも１つの演算装置を有している。「演算装置」とは、特に、情報入力、情報処理および情報出力を有するユニットであると解釈されるべきである。好適には、演算装置は、少なくとも１つのプロセッサ、メモリー、入力手段および出力手段、その他の電気構成部品、運転プログラム、調整ルーチン、制御ルーチンおよび／または演算ルーチンを有している。好適には、演算装置の構成部分は、１つの共通の基板、特にエレクトロニックユニットに配置されていて、かつ／または好適には１つの共通のハウジング内に配置されている。好適な形式で、エレクトロニックモジュールは、操作員固有のおよび／または工作機械固有の特性値を検出するために、少なくとも１つのセンサユニットを有している。これに関連して、「センサユニット」とは、特に、少なくとも１つの特性値および／または物理的な特性を記録するために設けられたユニットであると解釈されるべきであり、この場合、記録は、例えば特に電気測定信号を生成および送信することによってアクティブに、および／または例えば特にセンサ素子の特性変化を検出することによってパッシブに行われてよい。
【０００５】
好適な形式で、エレクトロニックモジュール、特にエレクトロニックユニットは、視覚的、聴覚的および／または触覚式の少なくとも１つの情報をアウトプットするための少なくとも１つの出力装置を有している。好適には、出力装置は、少なくとも１つの発光ダイオード、光導体、表示パネル、ディスプレイ、ブザー、スピーカー、振動素子および／またはその他の当業者により有意義であるとみなされるアウトプットエレメントを有している。
【０００６】
好適な形式で、エレクトロニックモジュール、特にエレクトロニックユニットは、少なくとも１つの入力装置を有しており、この入力装置は、特にスイッチ、ボタン、接触感応式および／または近接感応式の面、マイクロフォンまたはその他の当業者にとって有意義であると見なされる操作エレメントを含む。
【０００７】
好適な形式で、エレクトロニックモジュール、特にエレクトロニックユニットは、特に工具および／または手持ち式工作機械と有線式および／または無線式にデータ伝送するための、少なくとも１つの通信ユニット、特にＮＦＣ通信ユニットを有している。好適な形式で、通信ユニットは、電子データを伝送するための送信および／または受信ユニットとして構成されている。エレクトロニックモジュールは、好適には少なくとも２つの送信および／または受信ユニットまたは情報ユニット、特に少なくとも１つのＮＦＣ送信および／または受信ユニット、ブルートゥース（登録商標）送信および／または受信ユニットを有している。選択的にまたは追加的に、エレクトロニックモジュールは少なくとも１つまたは複数の情報ユニット、例えばＱＲコード（登録商標）、データ行列コード等を含む。好適な形式で、少なくとも２つの送信および／または受信ユニットの少なくとも１つ、特にＮＦＣ送信および／または受信ユニットは、エレクトロニックモジュールと外部のユニット、特に手持ち式工作機械との間の高速接続形成のために設けられている。好適には、少なくとも２つの送信および／または受信ユニットの少なくとも１つ、特にブルートゥース（登録商標）送信および／または受信ユニットは、データ伝送のために、特に多数のデータを短い時間間隔でエレクトロニックモジュールと外部のユニット、特に手持ち式工作機械との間で伝送するために設けられている。好適な形式で、通信ユニットのアンテナは、アンテナの主放射方向がカバーユニットの方向で行われ得るように、エレクトロニックモジュールに配置されている。
【０００８】
工具は、これに関連して、特に機械、特に手持ち式工作機械、作業服および／または技術的な補助手段、例えば特にアームバンドおよび／または腕時計を形成することができる。「手持ち式工作機械」とは、特に工作物加工機械、好適には穿孔機、穿孔および／またはハンマ、のこぎり、かんな、ドライバ、フライス盤、切断グラインダー、アングルグラインダー、切断工具、タイルカッタ、ガーデン工具および／またはマルチ機能工具であると解釈されるべきである。
【０００９】
好適な形式で、エレクトロニックモジュールは、手持ち式工作機械に機械的および／または電気的に接続可能であり、特にエレクトロニックモジュールは手持ち式工作機械に、好適には解除可能な保持機構によって配置可能である。さらに、通信ユニットは、外部の機器、例えばスマートフォン、タブレット、ＰＣおよび／またはこれと類似のものとのデータ交換のために設けられ、特にエレクトロニックモジュールの制御のために、ファームウエアアップグレードのために、エレクトロニックモジュールの読み取りのために、またはその他の当業者により有意義であるとみなされる機能のために設けられていることが考えられる。
【００１０】
好適な形式で、エレクトロニックモジュールを有するシステムは、少なくとも１つの遮蔽エレメント、特にプラスチックプレートまたはスペーサエレメントを有しており、このスペーサエレメントは、エレクトロニックモジュールを、熱的および／または機械的な影響から遮断および／または遮蔽することを実現するために設けられている。エレクトロニックモジュールが、通信ユニットの放射された送信出力を大きくしかつ／または減衰するために、少なくとも１つの反射エレメント、特にプラスチックプレートを有していて、この反射エレメントが、反射エレメントに入射した電磁放射線を反射し、まとめかつ／または出射された放射線の好適な伝播を可能にするために設けられている、ことがさらに考えられる。反射エレメントおよび／または遮蔽エレメントは、好適な形式で、特に１５ｍｍより小さい、好適には１０ｍｍより小さい、特に好適には５ｍｍより小さい最大厚さを有している。好適な形式で、反射エレメントおよび／または遮蔽エレメントは、特に１ｍｍ〜１０ｍｍの値範囲から成る値、好適には１ｍｍ〜６ｍｍの値範囲から成る値、特に好適には２ｍｍ〜３ｍｍの値範囲から成る値に相当する最大厚さを有している。好適な形式で、反射エレメントおよび／または遮蔽エレメントは、ハウジングの外側面、特にエレクトロニックモジュールの底部の外側面とエレクトロニックモジュールの通信ユニットの少なくとも１つのアンテナエレメントとの間に配置されている。
【００１１】
さらに、エレクトロニックモジュール内、特にエレクトロニックユニット内に、用途に応じたおよび／または手持ち式工作機械固有の情報が記憶されていることが考えられる。用途に応じたおよび／または手持ち式工作機械固有の情報に基づいて、エレクトロニックモジュールは、手持ち式工作機械の用途に依存して、指令および／または示唆を使用者にアウトプットする。例えば、使用者が実行しようとする操作を、入力装置によってまたは通信ユニットへのデータ伝送によってエレクトロニックモジュールに伝達し、次いでエレクトロニックモジュールが、実行しようとする操作に適した工具、特に手持ち式工作機械を提案することが考えられる。さらに、エレクトロニックモジュールは、例えばエレクトロニックモジュール固有の検出、処理および／または記憶後に、ゲートウエイ、読み取り装置等との特に有線式および／または無線式のデータ接続によって読み取り可能なデータを、手持ち式工作機械および／または外部のユニットとの通信とは無関係に、検出し、処理しかつ／または記憶できることが考えられる。
【００１２】
「コンタクト形成ユニット」とは、特に、エレクトロニックモジュールの電気的なコンタクト形成のための、および／またはデータ伝送のための、および／または少なくともエレクトロニックユニットを作動させる電気エネルギを伝送するための少なくとも１つの接点エレメントを提供するユニットであると解釈されるべきである。コンタクト形成ユニットは無線式に及び／又は好適には有線式に構成されている。さらに、コンタクト形成ユニットは、少なくとも部分的に、エレクトロニックモジュールの通信ユニットを備えたユニットとして構成されていることが考えられる。好適な形式で、少なくとも１つの接点エレメントは、接点舌片、接点ばね、接点クリップ、またはその他の当業者により有意義であると見なされる接点エレメントとして構成されている。
【００１３】
「カバーユニット」とは、特に、エレクトロニックユニットおよび／またはコンタクト形成ユニットの少なくとも一方側をカバーして接触に対して保護し、かつ／または少なくとも１つの開口、特にエレクトロニックモジュールのハウジングまたは手持ち式工作機械のハウジングの少なくとも１つのハウジング開口を閉鎖するユニットであると解釈されるべきである。
【００１４】
好適な形式で、カバーユニットは、カバーユニットを少なくとも部分的に収容するハウジングに関連して僅かな静的作用しか有していない。何故ならば、特にカバーユニットを少なくとも部分的に収容するハウジングが十分に静的機能を満たし、かつ／またはカバーユニットに作用する力を支持するために設けられているからである。
【００１５】
好適な形式で、カバーユニットは、エレクトロニックユニットとは反対側に、特にエレクトロニックユニットおよび／またはコンタクト形成ユニットに亘って延在する閉じられた表面を有している。好適な形式で、入力装置および／または出力装置は、少なくとも部分的にカバーユニット、特にカバーユニットの、エレクトロニックユニットとは反対側に配置されている。エレクトロニックユニットをカバーユニットに位置合わせおよび／または配置したことによって、好適には、入力装置および／または出力装置を配線するための短い接続距離を得ることができる。例えば、好適には、プリント配線板として構成されたエレクトロニックユニットに直接に配置されたＬＥＤまたはディスプレイが、特にカバーユニットの、エレクトロニックユニットとは反対側で、構造的に簡単に外方へガイドされてもよい。電気的なエネルギ源は、好適には、ボタン電池、特に大きさ２４５０または２０３２のボタン電池、または例えばリチウムポリマー蓄電池を有するパウチパックより形成されている。
【００１６】
固定エレメントは、好適な形式で形状締結エレメントおよび／または摩擦締結エレメントより形成されている。これに関連して、固定エレメントは、差し込み部材、ねじまたは係止手段を形成することが考えられる。固定エレメントは、特に、工具、ハウジングユニットおよび／または拡張ユニットにカバーユニットを固定するために設けられている。「設けられている」とは、特に、特別にプログラミングされ、設計されかつ／または装備されていると解釈されるべきである。対象物が所定の機能のために設けられているとは、特に、対象物が、この所定の機能を、少なくとも１つの使用状態および／または運転状態において満たしかつ／または実行する、と解釈されるべきである。
【００１７】
本発明の別の実施形態では、少なくとも１つの接点エレメントが、電気エネルギ源および／または別のエレクトロニックユニットと軸方向でコンタクト形成するために設けられていることが提案される。これによって、特に高いコンタクト確実性が得られる。別のエレクトロニックユニットは、好適には別個の拡張ユニット、拡張ユニット、工具の工具エレクトロニックユニットおよび／または電気エネルギ源によって形成されている。「軸方向のコンタクト形成」とは、これに関連して、特に軸方向でのコンタクト形成、および／または少なくとも概ね軸方向に対して垂直に延びる接触面を介したコンタクト形成と解釈されるべきである。軸方向は、カバーユニットをかろうじて取り囲んでいる、可能な限り小さい半径を有する想定円柱形の円柱軸線に対して特に平行に延びる。「少なくとも概ね」とは、これに関連して、特に最大２０°、好適には最大５°、特に好適には最大１°のずれを伴う、と解釈されるべきである。
【００１８】
さらに、少なくとも１つの接点エレメントが、電気エネルギ源および／または別のエレクトロニックユニットと半径方向でコンタクト形成するために設けられているように提案される。これによって、特に高いコンタクト確実性が得られる。「半径方向のコンタクト形成」とは、これに関連して、特に、半径方向でのコンタクト形成、および／または半径方向に対して少なくとも概ね垂直に延びる接触面を介したコンタクト形成であると、解釈されるべきである。半径方向は、特に、軸方向に対して少なくとも概ね垂直に延びる。
【００１９】
さらに、エレクトロニックモジュールが少なくとも１つの拡張ユニットを有していて、この拡張ユニットが、少なくとも１つのエレクトロニックユニットと連結可能に構成されていて、少なくとも１つのエレクトロニックユニットの機能拡張のために設けられていることが提案される。選択的におよび／または追加的に、少なくとも１つの拡張ユニットが少なくとも１つのエレクトロニックユニットと交換可能に構成されていて、少なくとも１つのエレクトロニックユニットの機能拡張および／または機能変更のために設けられていることが提案される。これにより、エレクトロニックモジュールは好適には後から、特に新たに開発されたデータ伝送基準のように、機能を拡張することができる。これにより、エレクトロニックモジュールの耐用年数は、好適には延長され得る。好適には、少なくとも１つの拡張ユニットは、少なくとも１つのデータ検出ユニット、データメモリー、データ評価ユニットおよび／またはデータ出力装置を有している。
【００２０】
さらに、少なくとも１つの拡張ユニットが少なくとも１つの底部エレメントを有しており、この底部エレメントが収容スペースを少なくとも閉鎖するために設けられていて、この収容スペース内に少なくとも１つのエレクトロニックユニットが配置されていることが提案される。これにより、エレクトロニックユニットは特に好適には、外部の影響から保護され得る。さらに、エレクトロニックモジュールは好適にはコンパクトに構成され得る。
【００２１】
さらに、少なくとも１つの拡張ユニットが、無線式のデータ伝送のために設けられた少なくとも１つの通信ユニットを有していることが提案される。これによって、データは好適には工具エレクトロニックユニットおよび／または特に好適には外部の機器、例えばスマートフォン、タブレットおよび／またはＰＣと交換され得る。好適には通信ユニットは、特にＩＥＥＥ８０２．１１系の規格による、ＩＥＥＥ８０２．１５．１の規格による、ＩＥＥＥ８０２．１５．４の規格による、ＺｉｇＢｅｅ規格による、ＲＦＩＤ規格によるおよび／またはＮＦＣ規格による無線式の通信のために設けられている。これに関連して、通信ユニットは、特にＩＥＥＥ８０２．３の規格による有線式の通信のために設けられていることも考えられる。好適な形式で、特に軸方向で少なくとも１つのエレクトロニックユニットと少なくとも１つの拡張ユニットとの間に少なくとも１つの電気エネルギ源、好適にはボタン電池が配置されている。
【００２２】
さらに、少なくとも１つのコンタクト形成ユニットが少なくとも１つの差し込み接続エレメントを有していて、この差し込み接続エレメントに少なくとも１つの接点エレメントが配置されていることが提案される。これにより、特に少なくとも１つのエレクトロニックユニットと少なくとも１つの拡張ユニットとの間で、特に確実なコンタクト形成を得ることができる。差し込み接続エレメントは、好適にはコネクタエレメントおよび／またはソケットエレメントを形成する。特に好適には、少なくとも１つの差し込み接続エレメントはカバーユニットと一体的に構成されている。
【００２３】
さらに、少なくとも１つの接点エレメントが少なくとも部分的に、少なくとも１つのカバーユニットのカバー壁内に配置されていることが提案される。これにより、少なくとも１つの接点エレメントは特に良好に損傷に対して保護され得る。好適な形式で、少なくとも１つの接点エレメントは少なくとも部分的に、少なくとも１つのカバーユニットのカバー壁内に射出されている。
【００２４】
さらに、少なくとも１つの固定エレメントがバヨネット式ロックを形成することが提案される。これにより、カバーユニットを工具および／またはハウジングユニットに特に簡単かつ確実に固定することができる。
【００２５】
さらに、本発明によるエレクトロニックモジュールを備えた工具、特に手持ち式工作機械が提案される。これにより、工具の機能は特に好適に簡単な形式で拡張され得る。
【００２６】
この場合、本発明によるエレクトロニックモジュールは、上記用途および実施例に限定されるべきではない。特に本発明によるエレクトロニックモジュールは、上記の機能形式を満たすために、上記の数とは異なる数の個別のエレメント、構成部分およびユニットを有していてよい。
【図面の簡単な説明】
【００２７】
【図１】エレクトロニックモジュールを備えた工具の斜視図である。
【図２】エレクトロニックモジュールの第１実施例の断面した斜視図である。
【図３】エレクトロニックモジュールのエレクトロニックユニットおよびカバーユニットの概略的な斜視図である。
【図４】エレクトロニックモジュールの別の実施例のエレクトロニックユニットおよびカバーユニットの概略的な斜視図である。
【図５】エレクトロニックモジュールの別の実施例のエレクトロニックユニットおよびカバーユニットの概略的な斜視図である。
【図６】エレクトロニックモジュールの実施例および対応する工具の概略図である。
【発明を実施するための形態】
【００２８】
その他の利点は、以下の図面の説明に記載されている。図面には本発明の３つの実施例が示されている。図面、明細書および請求項は、多くの特徴の組み合わせを含んでいる。これらの特徴は、当業者により好適な形式で個別なものともみなされ、また有意義な別の組み合わせにもまとめられる。
【００２９】
図１は、エレクトロニックモジュール１０ａの第１実施例および工具３６ａを示す。工具３６ａは手持ち式工作機械を形成する。工具３６ａは、エレクトロニックモジュール１０ａのための収容領域として構成されたベースユニット４４ａを有している。工具３６ａは、エレクトロニックモジュール１０ａのコンタクト形成ユニット１４ａに電気的に接触するための、収容領域に配置された、詳しく図示されていないコンタクト手段を有している（図２）。工具３６ａとエレクトロニックモジュール１０ａとの間で、コンタクト手段およびコンタクト形成ユニット１４ａによって、エレクトロニックモジュール１０ａを作動させるためのデータおよび／または電気エネルギが伝送可能である。エレクトロニックモジュール１０ａは、このエレクトロニックモジュール１０ａのための収容領域として構成されたベースユニット４４ａ内に解除可能に固定されている。
【００３０】
コンタクト形成ユニット１４ａは固定エレメント２６ａを有している。固定エレメント２６ａは、エレクトロニックモジュール１０ａのカバーユニット２４ａを工具３６ａに機械的に固定するために設けられている。選択的におよび／または追加的に固定エレメント２６ａは、カバーユニット２４ａをエレクトロニックモジュール１０ａのハウジングユニット４６ａに機械的に固定するために設けられている。ハウジングユニット４６ａは、カバーユニット２４ａを半径方向で見て完全に包囲している。
【００３１】
コンタクト形成ユニット１４ａは別の固定エレメント８６ａを有している。別の固定エレメント８６ａは、固定エレメント２６ａと同じ構造的な形態を有している。固定エレメント２６ａと別の固定エレメント８６ａとは、周方向で見て互いに１８０°ずらして配置されている。言い換えれば、固定エレメント２６ａと別の固定エレメント８６ａとは互いに回転対称的に配置されている。
【００３２】
好適には、エレクトロニックモジュール１０ａを工具３６ａに配置する際に、電気エネルギを伝送するために、かつ／または電子データを伝送するために、工具３６ａとエレクトロニックモジュール１０ａとの間の接触が可能である。エレクトロニックモジュール１０ａはエレクトロニックユニット１２ａを有している。エレクトロニックモジュール１０ａ、特にエレクトロニックモジュール１０ａのエレクトロニックユニット１２ａは、出力装置４８ａを有している。出力装置４８ａは、発光ダイオードとして構成された出力エレメント５０ａ，５２ａを有している。しかしながら、出力装置４８ａは、選択的にまたは追加的に、ディスプレイ、スピーカー、ミニディスプレイ等として構成された少なくとも１つの出力エレメントを有していることも考えられる。出力エレメント５０ａの光情報は、出力装置４８ａの光導体９０ａを介してエレクトロニックモジュール１０ａの表面にガイドされる。
【００３３】
エレクトロニックモジュール１０ａ、特にエレクトロニックユニット１２ａは、入力装置５４ａを有している。入力装置５４ａは、操作ヘッドまたは操作スイッチとして構成された操作エレメント５６ａを有している。しかしながら、入力装置５４ａは選択的にまたは追加的に、接触感応式または近接感応式の操作エレメント、ＬＥＤ押しボタンスイッチ、ＬＥＤ薄膜スイッチ等として構成された少なくとも１つの操作エレメントを有していることも考えられる。エレクトロニックモジュール１０ａの装着側は、カバーユニット２４ａの方向に方向付けられている。出力装置４８ａおよび／または入力装置５４ａは、カバーユニット２４ａを領域的に突き抜けている。
【００３４】
増設段階で、出力装置４８ａは、例えばＬＥＤ、ブザー、サイレン等を有する。これにより、使用者に、状態／ステータス、例えば警告その他を伝達することができる。エレクトロニックモジュール１０ａの検索時においても、エレクトロニックモジュール１０ａは無線により接触され、次いで光学的に、聴覚的にまたは振動によって伝達する。例えばスマートフォンとエレクトロニックモジュール１０ａとの間のペアリング（例えばデータ交換のために）を開始できるようにするために、例えば入力装置５４ａが設けられていてよく、この入力装置５４ａは、少なくとも部分的にカバーユニット２４ａ内に組み込まれている。既に説明したように、入力装置５４ａは、特に機械的なボタンおよび／またはマイクロスイッチ等を有していてよい。選択的に、入力装置５４ａは、ペアリングを作動させるための適切なセンサを有していてもよい。このセンサは、ペアリングプロセスを始めるために、例えば所定の動作進行またはノックリズムに反応する。
【００３５】
出力装置４８ａがディスプレイを有していれば、ディスプレイ内にメニューが表示され、使用者は入力装置５４ａを介してメニューによって行動できる。出力装置４８ａは、背景が照らし出された記号として構成され得る表示エレメントを有していてもよい。従って、例えば無線通信の状態、エネルギアキュムレータユニットの状態、測定値の状態、センサの状態を、例えば振動提示その他によって表示することができる。出力装置４８ａがライトリングを有していれば、さらに別の表示、例えば時計の表示および／または速度表示のようなダイナミックな状態の表示が可能である。このような表示形式において、使用者は、使用者がどの測定範囲に実際にいるかを非常に容易に認識し、例えば円が半円として図表的に照らし出されていれば、５０％が達成されており、または円がほぼ完全に照らし出されていれば、限界値、目標値が間もなく得られることを、非常に容易に認識する。
【００３６】
図２および図３に示されているように、コンタクト形成ユニット１４ａは３つの接点エレメント１６ａ，１８ａ，２０ａを有している。接点エレメント１６ａ，１８ａ，２０ａは、部分的に固定エレメント２６ａに配置されている。エレクトロニックモジュール１０ａ、特にエレクトロニックユニット１２ａは、操作員固有のおよび／または手持ち式工作機械固有の特性値を検出するためのセンサユニット５８ａを有している。特性値は、特にモータ温度、総運転時間、使用された工具、手持ち式工作機械の位置および／または場所、手持ち式工作機械の加速度および／または振動、並びに当業者にとって有意義であると見なされるその他の値を含んでいてよい。
【００３７】
エレクトロニックモジュール１０ａは演算装置６０ａを有している。演算装置６０ａは、センサユニット５８ａのデータを処理するために、入力装置５４ａの使用者入力を処理するために、データを出力装置４８ａおよび／または通信ユニット７０ａと交換するために、外部のユニット特に工具３６ａを制御するために、および／または電気エネルギ源のエネルギマネジメントのために、設けられている。接点エレメント１６ａ，１８ａ，２０ａは、軸方向６２ａに対して垂直に延在する接点面を形成する。接点エレメント１６ａ，１８ａ，２０ａは、部分的にカバーユニット２４ａのカバー壁４２ａ内に配置されている。接点エレメント１６ａ，１８ａ，２０ａは、部分的にカバー壁４２ａ内に射出され、かつ／または鋳込まれている。カバー壁４２ａは固定エレメント２６ａと一体的に構成されている。カバー壁４２ａは別の固定エレメント８６ａと一体的に構成されている。
【００３８】
コンタクト形成ユニット１４ａは、接点エレメント６４ａを介して電気的なエネルギ源２２ａとコンタクト形成するために設けられている。電気的なエネルギ源２２ａはボタン電池により形成されている。コンタクト形成ユニット１４ａは、追加的な接点エレメント６６ａを有しており、この追加的な接点エレメント６６ａは、図示していない別の電気的なエネルギ源と無線式に接触するために、および／または無線式のデータ伝送のために設けられている。
【００３９】
図３には、カバーユニット２４ａおよびエレクトロニックユニット１２ａが、ハウジングユニット４６ａ無しで示されている。カバーユニット２４ａは、エレクトロニックユニット１２ａとは反対の側で少なくとも概ね閉鎖した表面を有しており、この表面はエレクトロニックユニット１２ａの全体に亘って延在している。エレクトロニックユニット１２ａはカバーユニット２４ａに分離不能に接続されている。エレクトロニックユニット１２ａとカバーユニット２４ａとの間の接続は、差し込み接続、係止、バヨネットを介して、摩擦係合によっておよび／または摩擦力結合によって行われ得る。
【００４０】
固定エレメント２６ａはカバーユニット２４ａに配置されている。固定エレメント２６ａは、エレクトロニックモジュール１０ａをベースユニット４４ａに解除可能に固定するために設けられている。コンタクト形成ユニット１４ａは、エレクトロニックユニット１２ａの、カバーユニット２４ａとは反対の側６８ａに配置されている。カバーユニット２４ａは、エレクトロニックユニット１２ａを保持するために設けられている。カバーユニット２４ａは、エレクトロニックユニット１２ａを保持するための、詳しく図示していない保持エレメントを有している。保持エレメントは、エレクトロニックユニット１２ａをカバーユニット２４ａに形状締結式に固定する。固定エレメント２６ａは、バヨネット式ロックを形成する。
【００４１】
エレクトロニックモジュール１０ａ、特にエレクトロニックユニット１２ａは、外部のユニット、特に手持ち式工作機械と無線式にデータ交換するための通信ユニット７０ａを有している。通信ユニット７０ａは、ＮＦＣ通信ユニットとして構成されている。通信ユニット７０ａは、エレクトロニックモジュール１０ａに電気エネルギを供給するための接点エレメントを有しており、この電気エネルギは、特に外部のユニットから提供されてよい。接点エレメントは、外部のユニットと無線式に接続するために設けられている。通信ユニット７０ａは、部分的にコンタクト形成ユニット１４ａを備えたユニットして構成されている。
【００４２】
エレクトロニックモジュール１０ａはエネルギアキュムレータ収容領域７２ａを有している。エネルギアキュムレータ収容領域７２ａは、エレクトロニックユニット１２ａの、カバーユニット２４ａとは反対の側６８ａに配置されている。エネルギアキュムレータ収容領域７２ａは、コンタクト形成ユニット１４ａに当接して配置されている。
【００４３】
エレクトロニックモジュール１０ａは層構造を有している。一方方向、特に軸方向６２ａで、カバーユニット２４ａからコンタクト形成ユニット１４ａに向かって見て、エレクトロニックユニット１２ａは、カバーユニット２４ａの後ろに配置されている。カバーユニット２４ａからコンタクト形成ユニット１４ａの方向で見て、コンタクト形成ユニット１４ａはエレクトロニックユニット１２ａの後ろに配置されている。カバーユニット２４ａからコンタクト形成ユニット１４ａの方向で見て、エネルギアキュムレータ収容領域７２ａは、コンタクト形成ユニット１４ａの後ろに配置されている。
【００４４】
エレクトロニックモジュール１０ａはオプション的に拡張ユニット３０ａを有している。拡張ユニット３０ａは、別のエレクトロニックユニット２８ａを有している。これに関連して、拡張ユニット３０ａはエネルギアキュムレータを有していることも考えられる。拡張ユニット３０ａはエレクトロニックユニット１２ａと連結可能に構成されている。拡張ユニット３０ａは、エレクトロニックユニット１２ａの機能拡張のために設けられている。接点エレメント１６ａ，１８ａ，２０ａは、別のエレクトロニックユニット２８ａと軸方向でコンタクト形成するために設けられている。この場合、接点エレメント１６ａ，１８ａ，２０ａは、工具３６ａのベースユニット４４ａと接触しない。このようなコンタクト形成は、拡張ユニット３０ａの詳しく図示していない手段を介しておよび／または無線式に行うことができる。拡張ユニット３０ａは底部エレメント３２ａを有しており、この底部エレメント３２ａは収容スペース３４ａを閉鎖するために設けられており、この収容スペース３４ａ内にエレクトロニックユニット１２ａが配置されている。この実施例では、収容スペース３４ａはエネルギアキュムレータ収容領域７２ａに相当する。接点エレメント１６ａ，１８ａ，２０ａは、カバーユニット１８ａを軸方向６２ａで閉鎖する。
【００４５】
拡張ユニット３０ａはコンタクト形成ユニット７４ａを有している。コンタクト形成ユニット７４ａは３つの接点エレメント７６ａ，７８ａ，８０ａを有しており、これらの接点エレメント７６ａ，７８ａ，８０ａは、エレクトロニックモジュール１０ａのコンタクト形成ユニット１４ａの接点エレメント１６ａ，１８ａ，２０ａとコンタクト形成するために設けられている。接点エレメント７６ａ，７８ａ，８０ａは、接点エレメント１６ａ，１８ａ，２０ａと合同に配置されている。拡張ユニット３０ａは、特性値を検出するために設けられたセンサ９２ａを有している。
【００４６】
コンタクト形成ユニット７４ａは底部エレメント３２ａ上に配置されている。拡張ユニット３０ａは演算装置８２ａを有している。拡張ユニット３０ａは通信ユニット３８ａを有している。通信ユニット３８ａはアンテナ８４ａを有している。アンテナ８４ａは底部エレメント３２ａ上に配置されている。通信ユニット３８ａは、無線式のデータ伝送のために設けられている。この場合、通信ユニット３８ａは、通信ユニット７０ａとは別の基準に従ってデータ伝送するために設けられている。エレクトロニックユニット１２ａおよびカバーユニット２４ａは、様々な使用のために構成されていてよい。従って、ベーシックバージョンは、例えば、通信ユニット３８ａを介した無線基準による規則的および／または不規則的な間隔の信号および／または通信に関するビーコン機能だけがやめられる、ということにあってよい。この場合、出力装置４８ａは省かれてよい。
【００４７】
図４および図５には本発明の２つの別の実施例が示されている。以下の説明および図面は、主にこれらの実施例間の違いに限定され、この場合、同じ表示の構成部分に関連して、特に同じ符号を有する構成部分に関連して、基本的に、特に図１乃至図３の別の実施例の図面および／または説明が参照されてよい。これらの実施例を区別するために、図１乃至図３の実施例の符号にアルファベットのａが追加されている。図４および図５の実施例では、アルファベットａがアルファベットｂおよびｃに置き換えられている。
【００４８】
図４は、特に手持ち式工作機械のためのエレクトロニックモジュール１０ｂを示す。エレクトロニックモジュール１０ｂはエレクトロニックユニット１２ｂを有している。エレクトロニックモジュール１０ｂはコンタクト形成ユニット１４ｂを有している。コンタクト形成ユニット１４ｂは３つの接点エレメント１６ｂ、１８ｂ、２０ｂを有している。接点エレメント１６ｂ，１８ｂ，２０ｂは、電子データを伝送するために設けられている。エレクトロニックモジュール１０ｂはカバーユニット２４ｂを有している。エレクトロニックユニット１２ｂはカバーユニット２４ｂに分離不能に結合されている。コンタクト形成ユニット１４ｂは固定エレメント２６ｂを有している。固定エレメント２６ｂは、カバーユニット２４ｂを工具３６ｂに機械的に固定するために設けられている（図６）。このために、エレクトロニックモジュール１０ｂは、底部エレメント８８ｂ、特にエレクトロニックフリーの底部エレメント８８ｂによっても閉鎖され得る。
【００４９】
接点エレメント１６ｂ，１８ｂ，２０ｂは、部分的に固定エレメント２６ｂに配置されている。カバーユニット２４ｂは、少なくとも概ね円形の外側輪郭を有している。カバーユニット２４ｂは少なくとも部分的に円板状に構成されている。接点エレメント１６ｂ，１８ｂ，２０ｂは、別のエレクトロニックユニット２８ｂと半径方向でコンタクト形成するために設けられている。しかしながら、これに関連して、接点エレメント１６ｂ，１８ｂが電気エネルギ源と半径方向でコンタクト形成するために設けられていることも考えられる。半径方向は軸方向６２ｂに対して垂直に延びており、軸方向６２ｂは円板状のカバーユニット２４ｂに対して垂直に延びている。軸方向６２ｂは、カバーユニット２４ｂの幾何学的な中心点を通って延びている。
【００５０】
固定エレメント２６ｂはバヨネット式ロックを形成する。コンタクト形成ユニット１４ｂは別の固定エレメント８６ｂを有している。別の固定エレメント８６ｂは、固定エレメント２６ｂと同じ構造的な形態を有している。固定エレメント２６ｂと別の固定エレメント８６ｂとは、周方向で見て互いに１８０°ずらして配置されている。言い換えれば、固定エレメント２６ｂと別の固定エレメント８６ｂとは互いに回転対称的に配置されている。
【００５１】
図５は、特に手持ち式工作機械のためのエレクトロニックモジュール１０ｃを示す。エレクトロニックモジュール１０ｃはエレクトロニックユニット１２ｃを有している。エレクトロニックモジュール１０ｃはコンタクト形成ユニット１４ｃを有している。コンタクト形成ユニット１４ｃは３つの接点エレメント１６ｃ，１８ｃ，２０ｃを有している。接点エレメント１６ｃ，１８ｃ，２０ｃは、電子データを伝送するために設けられている。エレクトロニックモジュール１０ｃはカバーユニット２４ｃを有している。エレクトロニックユニット１２ｃは、カバーユニット２４ｃに分離不能に結合されている。コンタクト形成ユニット１４ｃは固定エレメント２６ｃを有している。固定エレメント２６ｃは、カバーユニット２４ｃを工具３６ｃに機械的に固定するために設けられている（図６）。
【００５２】
コンタクト形成ユニット１４ｃは差し込み接続エレメント４０ｃを有している。接点エレメント１６ｃ，１８ｃ，２０ｃは、差し込み接続エレメント４０ｃに配置されている。固定エレメント２６ｃは、差し込み接続エレメント４０ｃと一体的に構成されている。さらに、固定エレメント２６ｃはカバーユニット２４ｃのカバー壁４２ｃと一体的に構成されている。接点エレメント１６ｃ，１８ｃ，２０ｃは部分的に固定エレメント２６ｃに配置されている。より正確にいえば、接点エレメント１６ｃ，１８ｃ，２０ｃは部分的に固定エレメント２６ｃによって取り囲まれている。固定エレメント２６ｃは、相補的な形状を有するソケット（図示せず）に取り付けおよび／または係止させるために設けられている。
【符号の説明】
【００５３】
１０ａ，１０ｂ，１０ｃ  エレクトロニックモジュール
１２ａ，１２ｂ，１２ｃ  エレクトロニックユニット
１４ａ，１４ｂ，１４ｃ  コンタクト形成ユニット
１６ａ，１６ｂ，１６ｃ；１８ａ，１８ｂ，１８ｃ；２０ａ，２０ｂ，２０ｃ  接点エレメント
２２ａ  電気エネルギ源
２４ａ，２４ｂ，２４ｃ  カバーユニット
２６ａ，２６ｂ，２６ｃ  固定エレメント
２８ａ，２８ｂ  別のエレクトロニックユニット
３０ａ  拡張ユニット
３２ａ  底部エレメント
３４ａ  収容スペース
３６ａ，３６ｂ，３６ｃ  工具
３８ａ  通信ユニット
４０ｃ  差し込み接続エレメント
４２ａ，４２ｂ，４２ｃ  カバー壁
４４ａ  ベースユニット
４６ａ  ハウジングユニット
４８ａ  出力装置
５４ａ  入力装置
５６ａ  操作エレメント
５８ａ  センサユニット
６０ａ  演算装置
６２ａ，６２ｂ，６２ｃ  軸方向
６４ａ  接点エレメント
６８ａ  反対の側
７０ａ  通信ユニット
７２ａ  エネルギアキュムレータ収容領域
７４ａ  コンタクト形成ユニット
７６ａ，７８ａ，８０ａ  接点エレメント
８２ａ  演算装置
８６ａ，８６ｂ，８６ｃ  別の固定エレメント
８８ｂ  底部エレメント
９０ａ  光導体
９２ａ  センサ
【図１】
0006916298.tif 000002
【図２】
0006916298.tif 000003
【図３】
0006916298.tif 000004
【図４】
0006916298.tif 000005
【図５】
0006916298.tif 000006
【図６】
0006916298.tif 000007